(57)【要約】【課題】ジャムした記録媒体の再利用を促進できる画像形成装置およびそのプログラムを提供する。【解決手段】定着手段が動作する画像形成モード時に記録媒体がジャムした場合、ジャムの発生を報知する。非可視化手段が動作する非可視化モード時に記録媒体がジャムした場合は、ジャムの発生を報知するとともにジャムした記録媒体に再利用の可能性がある旨を報知する。【選択図】      図５
2014149347.tif 000002
【特許請求の範囲】
【請求項１】
所定値未満の温度で可視状態となり所定値以上の温度で非可視状態となる現像剤により現像を行う現像手段と、
前記現像手段が現像した像を記録媒体に転写する転写手段と、
前記転写手段で像の転写を受けた記録媒体を前記所定値未満の温度で加熱することによりその記録媒体上の像を同記録媒体上に可視状態で定着させる定着手段と、
前記定着手段による定着を受けた記録媒体を前記所定値以上の温度で加熱することによりその記録媒体上の画像を非可視化する非可視化手段と、
前記定着手段が動作する画像形成モード時に前記記録媒体がジャムした場合はジャムの発生を報知し、前記非可視化手段が動作する非可視化モード時に前記記録媒体がジャムした場合はジャムの発生を報知するとともにジャムした記録媒体に再利用の可能性がある旨を報知する制御手段と、
を備えることを特徴とする画像形成装置。
【請求項２】
前記制御手段は、
前記定着手段が動作する画像形成モード時に前記記録媒体がジャムした場合、ジャムの発生を報知するとともにジャムの解除に必要となる処置を報知するための第１案内画面を表示する第１制御手段と、
前記非可視化手段が動作する非可視化モード時に前記記録媒体がジャムした場合、ジャムの発生を報知するとともにジャムの解除に必要となる処置を報知しかつジャムした記録媒体に再利用の可能性がある旨を報知するための第２案内画面を表示する第２制御手段と、
を含む、
ことを特徴とする請求項１に記載の画像形成装置。
【請求項３】
前記制御手段は、
前記定着手段が動作する画像形成モード時に前記記録媒体がジャムした場合、ジャムの発生を報知するとともにジャムの解除に必要となる処置を報知するための第１案内画面を表示する第１制御手段と、
前記非可視化手段が動作する非可視化モード時に前記記録媒体がジャムしてその記録媒体が前記非可視化手段の処置をまだ受けていない場合、ジャムの発生を報知するとともにジャムの解除に必要となる処置を報知しかつジャムした記録媒体に再利用の可能性がある旨を報知するための第２案内画面を表示する第２制御手段と、
前記非可視化手段が動作する非可視化モード時に前記記録媒体がジャムしてその記録媒体が前記非可視化手段の処置をすでに受けている場合、ジャムの発生を報知するとともにジャムの解除に必要となる処置を報知しかつジャムした記録媒体を元のセット位置に戻してほしい旨を報知するための第３案内画面を表示する第３制御手段と、
を含む、
ことを特徴とする請求項１に記載の画像形成装置。
【請求項４】
前記記録媒体に熱を与えるヒートローラ、
をさらに備え、
前記定着手段は、前記転写手段で像の転写を受けた記録媒体を前記ヒートローラにより前記所定値未満の温度で加熱することによりその記録媒体上の像を同記録媒体上に可視状態で定着させる、
前記非可視化手段は、前記定着手段で像の定着を受けた記録媒体を前記ヒートローラにより前記所定値以上の温度で加熱することによりその記録媒体上の像を非可視化する、
ことを特徴とする請求項１乃至請求項３のいずれかに記載の画像形成装置。
【請求項５】
前記現像剤は、所定値未満の温度で発色して可視状態となり、所定値以上の温度で消色して非可視状態となる、
ことを特徴とする請求項１乃至請求項４のいずれかに記載の画像形成装置。
【請求項６】
所定値未満の温度で可視状態となり所定値以上の温度で非可視状態となる現像剤により現像を行う現像手段と、
前記現像手段が現像した像を記録媒体に転写する転写手段と、
前記転写手段で像の転写を受けた記録媒体を前記所定値未満の温度で加熱することによりその記録媒体上の像を同記録媒体上に可視状態で定着させる定着手段と、
前記定着手段による定着を受けた記録媒体を前記所定値以上の温度で加熱することによりその記録媒体上の画像を非可視化する非可視化手段と、
コンピュータと、
を備えた画像形成装置において、
前記コンピュータを、
前記定着手段が動作する画像形成モード時に前記記録媒体がジャムした場合はジャムの発生を報知し、前記非可視化手段が動作する非可視化モード時に前記記録媒体がジャムした場合はジャムの発生を報知するとともにジャムした記録媒体に再利用の可能性がある旨を報知する制御手段、
として機能させることを特徴とする画像形成装置のプログラム。
【発明の詳細な説明】
【技術分野】
【０００１】
この発明は、記録媒体上に画像を形成する画像形成モードの機能、およびこの画像形成モードにより形成した記録媒体上の画像を非可視化する非可視化モードの機能、を併せ持つ画像形成装置およびそのプログラムに関する。
【背景技術】
【０００２】
記録媒体上に画像を形成する画像形成モードの機能、および記録媒体上の画像を非可視化する非可視化モード（消色モードともいう）の機能、を併せ持つ画像形成装置が知られている。
【０００３】
この画像形成装置は、所定値未満の温度で発色して可視状態となって所定値以上の温度で消色して非可視状態となる現像剤を用いる。消色して非可視状態となった用紙は、画像形成用の用紙として再利用することができる。
【先行技術文献】
【特許文献】
【０００４】
【特許文献１】特開２０１２―７８８０８号公報
【発明の概要】
【発明が解決しようとする課題】
【０００５】
画像形成装置では、搬送中の用紙が詰まって動かなくなるジャムがしばしば発生する。ジャムの発生時、画像形成装置は、動作を中断する。そして、画像形成装置は、ジャムした用紙がユーザによって取り除かれた場合に、動作を再開する。取り除かれた用紙は、ユーザによって廃棄されることが多い。
【０００６】
ただし、ジャムする用紙には、非可視化モードにより画像が非可視状態となった用紙、つまり再利用可能な用紙も含まれる。再利用可能な用紙が廃棄されるようなことは、省資源の観点からなるべく避けたい。
【０００７】
実施形態の目的は、ジャムした記録媒体の再利用を促進できる画像形成装置およびそのプログラムを提供することである。
【課題を解決するための手段】
【０００８】
請求項１の画像形成装置は、所定値未満の温度で可視状態となり所定値以上の温度で非可視状態となる現像剤により現像を行う現像手段と、この現像手段が現像した像を記録媒体に転写する転写手段と、この転写手段で像の転写を受けた記録媒体を前記所定値未満の温度で加熱することによりその記録媒体上の像を同記録媒体上に可視状態で定着させる定着手段と、この定着手段による定着を受けた記録媒体を前記所定値以上の温度で加熱することによりその記録媒体上の画像を非可視化する非可視化手段と、制御手段とを備える。制御手段は、前記定着手段が動作する画像形成モード時に前記記録媒体がジャムした場合はジャムの発生を報知し、前記非可視化手段が動作する非可視化モード時に前記記録媒体がジャムした場合はジャムの発生を報知するとともにジャムした記録媒体に再利用の可能性がある旨を報知する。
【図面の簡単な説明】
【０００９】
【図１】各実施形態の全体的な構成を断面して示す図。
【図２】図１における感光体ドラムとその周辺部の構成を示す図。
【図３】各実施形態の制御回路を示すブロック図。
【図４】各実施形態のコントロールパネルおよび第１案内画面を示す図。
【図５】第１実施形態の制御を説明するためのフローチャート。
【図６】各実施形態の第２案内画面を示す図。
【図７】第２実施形態の制御を説明するためのフローチャート。
【図８】第２実施形態の第３案内画面を示す図。
【発明を実施するための形態】
【００１０】
［１］以下、この発明の第１実施形態について図面を参照して説明する。  
図１に示すように、本体１の上部に原稿載置用の透明の原稿台（ガラス板）２を配置し、その原稿台２の上にカバー３を開閉自在に配置する。原稿台２の下面側にキャリッジ４を配置し、そのキャリッジ４に露光ランプ５を配置する。
【００１１】
キャリッジ４は、原稿台２の下面に沿って往復動する。露光ランプ５は、キャリッジ４の往動に伴い、原稿台２上の原稿を露光する。この露光により生じる反射光像を、反射ミラー６，７，８および変倍用レンズブロック９を介してＣＣＤ（Charge Coupled Device）１０が受ける。ＣＣＤ１０は、原稿からの反射光像に対応するレベルの画像信号を出力する。
【００１２】
原稿台２の近傍に、動作条件設定用のコントロールパネル１１を配置する。コントロールパネル１１は、タッチパネル式の液晶表示部１２を有する。
【００１３】
ＣＣＤ１０が出力する画像信号を、露光ユニット２０が受ける。露光ユニット２０は、黄色の画像信号に応じたレーザ光Ｂ１、マゼンタ色の画像信号に応じたレーザ光Ｂ２、シアン色の画像信号に応じたレーザ光Ｂ３、ブラック色の画像信号に応じたレーザ光Ｂ４を、黄色用の像担持体である感光体ドラム２１、マゼンタ色用の像担持体である感光体ドラム２２、シアン色用の像担持体である感光体ドラム２３、黒色用の像担持体である感光体ドラム２４に向けてそれぞれ発する。
【００１４】
感光体ドラム２１，２２，２３，２４は、一定間隔でほぼ水平方向に並ぶ。これら感光体ドラム２１，２２，２３，２４の上方に像担持体である転写ベルト３０を配置する。この転写ベルト３０をドライブローラ３１および従動ローラ３２に掛け渡す。転写ベルト３０は、ドライブローラ３１から動力を受けて、半時計方向に回転する。
【００１５】
感光体ドラム２１，２２，２３，２４と対向する位置に、１次転写ローラ４１，４２，４３，４４を上下動自在にそれぞれ配置する。１次転写ローラ４１，４２，４３，４４は、転写ベルト３０を感光体ドラム２１，２２，２３，２４の周面に押し当てながら回転することにより、感光体ドラム２１，２２，２３，２４上の像を転写ベルト３０に転写する。
【００１６】
感光体ドラム２１とその周辺部の構成を図２に示す。  
感光体ドラム２１の周囲に、現像手段として、クリーナ２１ａ、除電ランプ２１ｂ、帯電ユニット２１ｃ、現像ユニット２１ｄを順に配置する。クリーナ２１ａは、感光体ドラム２１の表面に残留する現像剤を除去する。除電ランプ２１ｂは、感光体ドラム２１の表面に残留する電荷を除去する。帯電ユニット２１ｃは、感光体ドラム２１の表面に静電荷を帯電させる。
【００１７】
帯電ユニット２１ｃによる帯電が済んだ感光体ドラム２１の表面は、露光ユニット２０が発するレーザ光Ｂ１を受ける。レーザ光Ｂ１は、感光体ドラム２１の表面に静電潜像を形成する。現像ユニット２１ｄは、感光体ドラム２１の表面に黄色の現像剤Ｄを供給することにより、感光体ドラム２１の表面の静電潜像を現像する。
【００１８】
他の感光体ドラム２２，２３，２４の周辺部も、同様の構成である。よって、その説明は省略する。感光体ドラム２２，２３，２４には、マゼンタ色・シアン色・黒色の現像剤Ｄをそれぞれ供給する。
【００１９】
各色の現像剤Ｄは、所定値未満の温度で発色して可視状態となり、所定値以上の温度で消色して非可視状態となるもので、消色可能なトナーと磁性キャリアとの混合物である。消色可能なトナーは、色素および発色剤を含む。この色素および発色剤は、環境温度が所定値たとえば１２０℃より低い場合に、互いに結び付く。この結び付きにより、上記色素の色が可視状態となる。また、上記色素および上記発色剤は、環境温度が上記所定値以上の場合に、互いの結び付きを解消する。この結び付きの解消により、上記色素の色が非可視状態となる。
【００２０】
露光ユニット２０の下方に、複数の給紙カセット５０を配置する。これら給紙カセット５０は、互いに異なるサイズの記録媒体である用紙Ｐを多数枚収容する。なお、これら給紙カセット５０のうち、例えば最上段の給紙カセット５０は、後述する非可視化モードの設定時に非可視化対象の用紙Ｐｘをセットするための消色用の給紙カセットとして兼用する。
【００２１】
これら給紙カセット５０と対応する位置に、ピックアップローラ５１および給紙ローラ５２を配置する。各ピックアップローラ５１は、各給紙カセット５０内の用紙Ｐ，Ｐｘを１枚ずつ取り出す。各給紙ローラ５２は、各ピックアップローラ５１が取り出した用紙Ｐ，Ｐｘを搬送路５３に供給する。
【００２２】
搬送路５３は、レジストローラ５４、上記従動ローラ３２、定着ユニット６０、および排紙ローラ５５を経由して、上方の排紙口５６に延びる。排紙口５６は、排紙トレイ５７に臨む。
【００２３】
転写ベルト３０および搬送路５３を挟んで上記従動ローラ３２と対向する位置に、２次転写ローラ３３を配置する。２次転写ローラ３３は、転写ベルト３０に転写されている像を、レジストローラ５４から送り込まれる用紙Ｐに転写する。すなわち、２次転写ローラ３３は、上記転写ベルト３０、ドライブローラ３１、従動ローラ３２、１次転写ローラ４１，４２，４３，４４と共に、転写手段を構成する。
【００２４】
搬送路５３の終端からレジストローラ５４の上流側位置にかけて、用紙Ｐ，Ｐｘの表裏を反転して搬送路５３に戻す搬送路７０を配置する。この搬送路７０は、給紙ローラ７１，７２，７３を有する。
【００２５】
上記定着ユニット６０は、ヒートローラ６１および加圧ローラ６２を有する。この定着ユニット６０は、用紙Ｐをヒートローラ６１により所定値（＝１２０℃）未満の第１温度たとえば１００℃で加熱することにより、用紙Ｐに転写されている像を用紙Ｐに可視状態で定着させる定着手段として機能する。また、定着ユニット６０は、非可視化対象の用紙Ｐｘをヒートローラ６１により所定値以上の第２温度たとえば１３０℃で加熱することにより、用紙Ｐｘ上の画像を非可視化する非可視化手段（消色手段ともいう）としても機能する。
【００２６】
本体１の制御回路を図３に示す。  
コンピュータのＣＰＵ８０に、コントロールパネル１１、ＲＯＭ８１、ＲＡＭ８２、ハードディスクドライブ（ＨＤＤ）８３、スキャニングユニット８４、画像処理ユニット８５、およびプロセスユニット８６を接続する。
【００２７】
コントロールパネル１１は、図４に示すように、タッチパネル式の液晶表示部１２のほかに、テンキー１３、スタートキー１４、画像形成モード設定用のコピーキー１５、画像読取モード設定用のスキャンキー１６、非可視化モード設定用（消色モード設定用）の消色キー１７などを有する。
【００２８】
ＲＯＭ８１は、制御用の各種プログラムを記憶している。ＲＡＭ８２は、各種データの記憶用である。ハードディスクドライブ８３は、画像データの記憶用である。スキャニングユニット８４は、上記キャリッジ４、露光ランプ５、反射ミラー６，７，８、変倍用レンズブロック９、ＣＣＤ１０を含み、原稿台２上の原稿の画像を光学的に走査して読取る。画像処理ユニット８５は、スキャニングユニット８４の読取り画像を適宜に処理する。
【００２９】
プロセスユニット８６は、露光ユニット２０、感光体ドラム２１，２２，２３，２４、各感光体ドラム周りの図２の構成、転写ベルト３０、ドライブローラ３１、従動ローラ３２、１次転写ローラ４１，４２，４３，４４、２次転写ローラ３３、搬送路５３、定着ユニット６０、搬送路７０などを有し、画像処理ユニット８５が処理した画像を用紙Ｐ上に形成する。
【００３０】
ＣＰＵ８０は、ＲＯＭ８１内のプログラムに基づく主要な機能として、次の（１）〜（４）の手段を有する。  
（１）上記定着手段が動作する画像形成モードを、コントロールパネル１１のコピーキー１５の押圧操作に応じて設定する設定手段。
【００３１】
（２）上記非可視化手段が動作する非可視化モード（以下、消色モードという）を、コントロールパネル１１の消色キー１７の押圧操作に応じて設定する設定手段。
【００３２】
（３）画像形成モード時に用紙Ｐがジャムした場合、ジャムの発生を報知するとともにジャムの解除に必要となる処置を報知するための第１案内画面をコントロールパネル１１の液晶表示部１２で表示する第１制御手段。
【００３３】
（４）消色モード時に非可視化対象の用紙Ｐｘがジャムした場合、ジャムの発生を報知するとともにジャムの解除に必要となる処置を報知しかつジャムした用紙Ｐｘに再利用の可能性がある旨を報知するための第２案内画面をコントロールパネル１１の液晶表示部１２で表示する第２制御手段。
【００３４】
つぎに、ＣＰＵ８０が実行する制御を図５のフローチャートを参照しながら説明する。  
ＣＰＵ８０は、コントロールパネル１１のスタートキー１４が押圧操作にされたとき（ステップ１０１のＹＥＳ）、各給紙カセット５０のいずれかから給紙する（ステップ１０２）。
【００３５】
すなわち、ＣＰＵ８０は、画像形成モードの設定時、下段の給紙カセット５０にセットされている画像形成用の用紙Ｐを搬送路５３に供給する。ＣＰＵ８０は、消色モードの設定時、最上段の給紙カセット５０にセットされている非可視化対象の用紙Ｐｘを搬送路５３に供給する。
【００３６】
ＣＰＵ８０は、搬送路５３，７０における用紙Ｐ，Ｐｘの搬送位置およびジャムを、搬送路５３，７０に配置している多数の用紙センサを介して監視する。
【００３７】
ＣＰＵ８０は、用紙Ｐ，Ｐｘのジャムを検知したとき（ステップ１０３のＹＥＳ）、現時点のモードが消色モードであるか画像形成モードであるかを判定する（ステップ１０４）。
【００３８】
判定結果が画像形成モードの場合（ステップ１０４のＮＯ）、ＣＰＵ８０は、図４に示す第１案内画面をコントロールパネル１１の液晶表示部１２で表示する（ステップ１０５）。
【００３９】
第１案内画面は、ジャムの発生を報知するための『ジャム発生』という案内文字１２ａ、同じくジャムの発生を報知するための『紙詰まりが発生しました』という案内文字１２ｂ、ジャムの解除に必要となる処置を報知するための『ガイダンスに従って用紙を取り除いてください』という案内文字１２ｃ、ジャムの発生位置がどこかをマークＭで報知する画像パターン１２ｄなどを含む。
【００４０】
ユーザは、この第１案内画面を見ることにより、画像形成用の用紙Ｐがジャムしたこと、そのジャムの解除方法、そのジャムの位置などを知ることができる。この場合、ユーザによって取り除かれる用紙Ｐは、よっぽどきれいなものでない限り、廃棄されることが多い。
【００４１】
上記判定結果が画像形成モードの場合（ステップ１０４のＮＯ）、ＣＰＵ８０は、図６に示す第２案内画面をコントロールパネル１１の液晶表示部１２で表示する（ステップ１０６）。
【００４２】
第２案内画面は、上記案内文字１２ａ，１２ｂ，１２ｃおよび画像パターン１２ｄのほかに、ジャムした用紙Ｐｘに再利用の可能性がある旨を報知するための『この用紙は再利用できる可能性があります』という案内文字１２ｅを含む。
【００４３】
ユーザは、この第２案内画面を見ることにより、非可視化対象の用紙Ｐｘがジャムしたこと、そのジャムの解除方法、そのジャムの位置などを知るとともに、ジャム解除して取出した用紙Ｐｘに再利用の可能性があることを認識する。
【００４４】
例えば、ジャムした用紙Ｐｘが定着ユニット６０のヒートローラ６１よりも下流側に存している場合は、用紙Ｐｘ上の画像はすでに消色して非可視化された状態にある。この用紙Ｐｘは、画像形成用の用紙Ｐとして再利用が可能である。この場合、ユーザは、ジャム解除して取出した用紙Ｐｘを画像形成用の下段の給紙カセット５０にセットする。
【００４５】
用紙Ｐｘが定着ユニット６０の位置またはその近傍でジャムした場合でも、用紙Ｐｘの一部にのみ画像があって、その画像部分がヒートローラ６１を経ている場合には、用紙Ｐｘ上の画像はすでに消色して非可視化された状態にある。この用紙Ｐｘは、画像形成用の用紙Ｐとして再利用が可能である。この場合も、ユーザは、ジャム解除して取出した用紙Ｐｘを画像形成用の下段の給紙カセット５０にセットする。
【００４６】
したがって、再利用可能となった用紙Ｐｘが図らずも廃棄されてしまう事態をできるだけ避けることができる。こうして用紙Ｐｘの再利用を促進できることにより、省資源に大きく貢献できるとともに、消色モードの機能を最大限に活かすことができる。
【００４７】
用紙Ｐ，Ｐｘのジャムがユーザの処置によって解除されたとき（ステップ１０７のＹＥＳ）、ＣＰＵ８０は、設定枚数分の画像形成または非可視化が終了しているかどうか、あるいはコントロールパネル１１でリセット操作があったかどうか、を判定する（ステップ１０８）。
【００４８】
設定枚数分の画像形成または非可視化がまだ終了していない場合、あるいはコントロールパネル１１でリセット操作がなかった場合（ステップ１０８のＮＯ）、ＣＰＵ８０は、次の用紙Ｐ，Ｐｘの給紙を再開する（ステップ１０２）。
【００４９】
設定枚数分の画像形成または非可視化がすでに終了している場合、あるいはコントロールパネル１１でリセット操作があった場合（ステップ１０８のＹＥＳ）、ＣＰＵ８０は、処理を終了する。
【００５０】
［２］第２実施形態について説明する。  
ＣＰＵ８０は、ＲＯＭ８１内のプログラムに基づく主要な機能として、次の（１１）〜（１５）の手段を有する。  
（１１）上記定着手段が動作する画像形成モードを、コントロールパネル１１のコピーキー１５の押圧操作に応じて設定する設定手段。
【００５１】
（１２）上記非可視化手段が動作する消色モードを、コントロールパネル１１の消色キー１７の押圧操作に応じて設定する設定手段。
【００５２】
（１３）画像形成モード時に用紙Ｐがジャムした場合、ジャムの発生を報知するとともにジャムの解除に必要となる処置を報知するための第１案内画面をコントロールパネル１１の液晶表示部１２で表示する第１制御手段。
【００５３】
（１４）消色モード時に非可視化対象の用紙Ｐｘがジャムしてその用紙Ｐｘが定着ユニット６０による非可視化の処置をまだ受けていない場合、ジャムの発生を報知するとともにジャムの解除に必要となる処置を報知しかつジャムした用紙Ｐｘに再利用の可能性がある旨を報知するための第２案内画面をコントロールパネル１１の液晶表示部１２で表示する第２制御手段。
【００５４】
（１５）消色モード時に非可視化対象の用紙Ｐｘがジャムしてその用紙Ｐｘが定着ユニット６０による非可視化の処置をすでに受けている場合、ジャムの発生を報知するとともにジャムの解除に必要となる処置を報知しかつジャムした用紙Ｐｘを元のセット位置に戻してほしい旨を報知するための第３案内画面をコントロールパネル１１の液晶表示部１２で表示する表示する第３制御手段。  
他の構成は第１実施形態と同じである。よって、その説明は省略する。
【００５５】
ＣＰＵ８０が実行する制御を図７のフローチャートを参照しながら説明する。ここでは、第１実施形態と異なる制御およびその関連部分について説明する。  
ＣＰＵ８０は、用紙Ｐ，Ｐｘのジャムを検知したとき（ステップ１０３のＹＥＳ）、現時点のモードが消色モードであるか画像形成モードであるかを判定する（ステップ１０４）。
【００５６】
判定結果が画像形成モードの場合（ステップ１０４のＮＯ）、ＣＰＵ８０は、図４に示す第１案内画面をコントロールパネル１１の液晶表示部１２で表示する（ステップ１０５）。
【００５７】
上記判定結果が画像形成モードの場合（ステップ１０４のＮＯ）、ＣＰＵ８０は、ジャムした用紙Ｐｘが定着ユニット６０による非可視化の処置をすでに受けているかどうかを判定する（ステップ１０４ａ）。
【００５８】
ジャムした用紙Ｐｘが定着ユニット６０による非可視化の処置をすでに受けている場合（ステップ１０４ａのＹＥＳ）、ＣＰＵ８０は、図６に示す第２案内画面をコントロールパネル１１の液晶表示部１２で表示する（ステップ１０６）。
【００５９】
ユーザは、この第２案内画面を見ることにより、非可視化対象の用紙Ｐｘがジャムしたこと、そのジャムの解除方法、そのジャムの位置などを知るとともに、ジャム解除して取出した用紙Ｐｘに再利用の可能性があることを認識する。
【００６０】
例えば、ジャムした用紙Ｐｘが定着ユニット６０のヒートローラ６１よりも下流側に存している場合は、用紙Ｐｘ上の画像はすでに消色して非可視化された状態にある。この用紙Ｐｘは、画像形成用の用紙Ｐとして再利用が可能である。この場合、ユーザは、ジャム解除して取出した用紙Ｐｘを画像形成用の下段の給紙カセット５０にセットする。
【００６１】
用紙Ｐｘが定着ユニット６０の位置またはその近傍でジャムした場合でも、用紙Ｐｘの一部にのみ画像があって、その画像部分がヒートローラ６１を経ている場合には、用紙Ｐｘ上の画像はすでに消色して非可視化された状態にある。この用紙Ｐｘは、画像形成用の用紙Ｐとして再利用が可能である。この場合、ユーザは、ジャム解除して取出した用紙Ｐｘを画像形成用の下段の給紙カセット５０にセットする。
【００６２】
ジャムした用紙Ｐｘが定着ユニット６０による非可視化の処置をまだ受けていない場合（ステップ１０４ａのＮＯ）、ＣＰＵ８０は、図８に示す第３案内画面をコントロールパネル１１の液晶表示部１２で表示する（ステップ１０６ａ）。
【００６３】
第３案内画面は、案内文字１２ａ，１２ｂ，１２ｃおよび画像パターン１２ｄのほかに、ジャムした用紙Ｐｘを元のセット位置つまり最上段の給紙カセット５０に戻してほしい旨を報知するための『この用紙は消色用の給紙カセットに戻してください』という案内文字１２ｆを含む。
【００６４】
ユーザは、この第３案内画面を見ることにより、非可視化対象の用紙Ｐｘがジャムしたこと、そのジャムの解除方法、そのジャムの位置などを知るとともに、ジャム解除して取出した用紙Ｐｘがまだ非可視化されていないことを認識する。
【００６５】
すなわち、ジャムした用紙Ｐｘが定着ユニット６０のヒートローラ６１よりも上流側に存している場合は、用紙Ｐｘ上の画像はまだ非可視化の処置を受けていない状態にある。この用紙Ｐｘは、消色用の最上段の給紙カセット５０に再セットして無駄なく使用することが可能である。この場合、ユーザは、案内文字１２ｆの表示に従い、ジャム解除して取出した用紙Ｐｘを最上段の給紙カセット５０にセットする。
【００６６】
したがって、再利用可能となった用紙Ｐｘが図らずも廃棄されてしまう事態はもちろん、非可視化の処置をまだ受けていない用紙Ｐｘが廃棄されてしまうような事態についても、避けることができる。こうして用紙Ｐｘの再利用および使用を促進できることにより、省資源に大きく貢献できるとともに、消色モードの機能を最大限に活かすことができる。
【００６７】
［３］変形例  
報知のためにコントロールパネル１１の液晶表示部１２で表示する案内文字や画像パターンの内容については、案内文字１２ａ，１２ｂ…や画像パターン１２ｄに限らず、種々変形が可能である。本体１を設置する地域の文化や言語などに応じて、案内文字や画像パターンの内容を適宜に選定すればよい。
【００６８】
その他、上記実施形態は、例として提示したものであり、発明の範囲を限定することは意図していない。この新規な実施形態は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００６９】
１…本体、２…原稿台、１０…ＣＣＤ、１１…露光ユニット、２１，２２，２３，２４…感光体ドラム、２１ｄ…現像ユニット、３０…転写ベルト、４１，４２，４３，４４…１次転写ローラ、５０…給紙カセット、５４…レジストローラ、５５…排紙ローラ、６０…定着ユニット、６１…ヒートローラ、８０…ＣＰＵ、８４…スキャニングユニット、８５…画像処理ユニット、８６…プロセスユニット
【図１】
2014149347.tif 000003
【図２】
2014149347.tif 000004
【図３】
2014149347.tif 000005
【図４】
2014149347.tif 000006
【図５】
2014149347.tif 000007
【図６】
2014149347.tif 000008
【図７】
2014149347.tif 000009
【図８】
2014149347.tif 000010